【手続補正書】
【提出日】平成17年12月26日(2005.12.26)
【手続補正１】
【補正対象書類名】明細書
【補正対象項目名】発明の名称
【補正方法】変更
【補正の内容】
【発明の名称】情報表示サーバ、情報表示方法及びプログラム
【手続補正２】
【補正対象書類名】明細書
【補正対象項目名】特許請求の範囲
【補正方法】変更
【補正の内容】
【特許請求の範囲】
【請求項１】  ネットワーク上のコンテンツを閲覧可能な利用者端末へ複数のコンテンツを提供する情報表示サーバであって、
前記利用者端末からの要求に応じて前記コンテンツの構成に関する情報である構成情報を含む前記コンテンツを前記利用者端末へ提供するコンテンツ提供手段と、
前記コンテンツ提供手段より提供される前記コンテンツに含まれる前記構成情報を基に、前記コンテンツの遷移に応じた閲覧履歴を木構造で示した閲覧履歴画面を前記利用者端末に表示させる画面制御手段と
を具備することを特徴とする情報表示サーバ。
【請求項２】  ネットワーク上のコンテンツを閲覧可能な利用者端末へ複数のコンテンツを提供する情報表示サーバであって、
前記コンテンツの構成を解析して、解析結果を基に前記コンテンツの構成情報を生成する構成解析手段と、
前記利用者端末からの要求に応じて前記コンテンツと、前記構成解析手段が生成した当該コンテンツの前記構成情報とを合わせて前記利用者端末へ提供するコンテンツ提供手段と、
前記コンテンツ提供手段より提供される前記コンテンツに含まれる前記構成情報を基に、前記コンテンツの遷移に応じた閲覧履歴を木構造で示した閲覧履歴画面を前記利用者端末に表示させる画面制御手段と
を具備することを特徴とする情報表示サーバ。
【請求項３】  前記構成解析手段は、前記コンテンツのＵＲＬまたは前記コンテンツに含まれるリンク情報またはそれらの組み合わせを基に、前記コンテンツの構成を解析することを特徴とする請求項２に記載の情報表示サーバ。
【請求項４】  前記木構造の節は、前記コンテンツを特定するネットワークアドレス、前記コンテンツのタイトル、前記コンテンツを表示した画面の縮小画像のいずれか一つまたはそれらの組み合わせであることを特徴とする請求項１乃至３の何れか１項に記載の情報表示サーバ。
【請求項５】  前記木構造の枝は、前記構成情報に応じて定まることを特徴とする請求項１乃至４の何れか１項に記載の情報表示サーバ。
【請求項６】  ネットワーク上のコンテンツを閲覧可能な利用者端末へ複数のコンテンツを提供する情報表示サーバを用いた情報表示方法であって、
前記利用者端末からの要求に応じて前記コンテンツの構成に関する情報である構成情報を含む前記コンテンツを前記利用者端末へ提供する第１のステップと、
前記第１のステップで提供される前記コンテンツに含まれる前記構成情報を基に、前記コンテンツの遷移に応じた閲覧履歴を木構造で示した閲覧履歴画面を前記利用者端末に表示させる第２のステップと
を有することを特徴とする情報表示方法。
【請求項７】  ネットワーク上のコンテンツを閲覧可能な利用者端末へ複数のコンテンツを提供する情報表示サーバを用いた情報表示方法であって、
前記コンテンツの構成を解析して、解析結果を基に前記コンテンツの構成情報を生成する第１のステップと、
前記利用者端末からの要求に応じて前記コンテンツと、前記第１のステップで生成した当該コンテンツの前記構成情報とを合わせて前記利用者端末へ提供する第２のステップと、
前記第２のステップで提供される前記コンテンツに含まれる前記構成情報を基に、前記コンテンツの遷移に応じた閲覧履歴を木構造で示した閲覧履歴画面を前記利用者端末に表示させる第３のステップと
を有することを特徴とする情報表示方法。
【請求項８】  前記第１のステップは、前記コンテンツのＵＲＬまたは前記コンテンツに含まれるリンク情報またはそれらの組み合わせを基に、前記コンテンツの構成を解析することを特徴とする請求項７に記載の情報表示方法。
【請求項９】  前記木構造の枝は、前記構成情報に応じて定まることを特徴とする請求項６乃至８の何れか１項に記載の情報表示方法。
【請求項１０】  請求項１乃至５の何れか１項に記載の情報表示サーバの機能をコンピュータに実行させるためのプログラム。
【請求項１１】  請求項６乃至９の何れか１項に記載の情報表示方法をコンピュータに実行させるためのプログラム。
【請求項１２】  ネットワーク上のコンテンツを閲覧可能な利用者端末用のプログラムであって、
前記コンテンツの構成に関する情報である構成情報を含む前記コンテンツを受信する第１のステップと、
前記第１のステップで受信した前記コンテンツに含まれる前記構成情報を基に、前記コンテンツの遷移に応じた閲覧履歴を木構造で示した閲覧履歴画面を表示する第２のステップと
をコンピュータに実行させるためのプログラム。
【請求項１３】  ネットワーク上のコンテンツを閲覧可能な利用者端末用のプログラムであって、
前記コンテンツを受信する第１のステップと、
前記第１のステップで受信した前記コンテンツの構成を解析して、解析結果を基に前記コンテンツの構成情報を生成する第２のステップと、
前記第２のステップで生成した前記構成情報を基に、前記コンテンツの遷移に応じた閲覧履歴を木構造で示した閲覧履歴画面を前記利用者端末に表示させる第３のステップと
をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、ネットワークを介して利用者へ提供されている種々のコンテンツを効率よく利用するための情報表示サーバ、情報表示方法及びプログラムに関するものである。
【手続補正４】
【補正対象書類名】明細書
【補正対象項目名】０００９
【補正方法】変更
【補正の内容】
【０００９】
本発明は、上述した事情を考慮してなされてもので、各コンテンツの構成関係に応じた木構造を閲覧履歴として表示することができる情報表示サーバ、情報表示方法及びプログラムを提供することを目的とする。
【手続補正５】
【補正対象書類名】明細書
【補正対象項目名】００１９
【補正方法】変更
【補正の内容】
【００１９】
本発明のプログラムの一態様例においては、上述した情報表示サーバの機能をコンピュータに実行させることを特徴とする。
【手続補正６】
【補正対象書類名】明細書
【補正対象項目名】００２０
【補正方法】変更
【補正の内容】
【００２０】
本発明のプログラムの一態様例においては、上述した情報表示方法をコンピュータに実行させることを特徴とする。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２８
【補正方法】変更
【補正の内容】
【００２８】
以上に示したように、本発明による情報表示サーバ、情報表示方法及びプログラムによれば、コンテンツの構成に関する情報である構成情報を基に、コンテンツの遷移に応じた閲覧履歴を木構造で示した閲覧履歴画面を利用者端末に表示するので、各コンテンツの構成関係に応じた木構造を閲覧履歴として表示することができる。
【手続補正１３】
【補正対象書類名】明細書
【補正対象項目名】０１０４
【補正方法】変更
【補正の内容】
【０１０４】
【発明の効果】
以上説明したように、本発明による情報表示サーバ、情報表示方法及びプログラムによれば、コンテンツの構成に関する情報である構成情報を基に、コンテンツの遷移に応じた閲覧履歴を木構造で示した閲覧履歴画面を利用者端末に表示するので、各コンテンツの構成関係に応じた木構造を閲覧履歴として表示することができる。これにより、利用者は、自身が過去に閲覧したコンテンツの履歴を、コンテンツの構成に応じて簡便に把握することができる。